(57)【特許請求の範囲】
【請求項１】
患者側端部でマスク領域を有するエアウエイ管を具え、この管がマスク領域の中心に開口し、このマスク領域が管の患者側端部に固着された配置構成部材とこの配置構成部材に固着された膨張可能なカフ構成部材を具え、カフ構成部材が咽頭の下側領域で患者の組織と共にシールを提供する為に通常は卵形である喉頭部マスクエアウエイ組立体において、前記配置構成部材にプレート構成部材（２０）を設け、前記マスク領域（１３）が組立体の挿入を助けるためにカフ構成部材（１６、１７）を越えて突出するチップ構成部材（２１）を含み、チップ構成部材（２１）がプレート構成部材（２０）の一部により設けられたことを特徴とする喉頭部マスク組立体。
【請求項２】
前記配置構成部材（１５）に管（１）に固着されたスリーブ（１８）を設け、プレート構成部材（２０）をこのスリーブに対してある角度で突出させることを特徴とする請求項１に記載の喉頭部のマスク組立体。
【請求項３】
前記チップ構成部材がプレート構成部材（２０）のリーディング端部（２１）を湾曲させることにより提供されることを特徴とする請求項２に記載の喉頭部マスク組立体。
【請求項４】
前記組立体が配置構成部材（１５）の対向する側に固着された２個のカフ構成部材（１６及び１７）を含むことを特徴とする請求項１乃至３のいずれか１項に記載の喉頭部マスク組立体。
【発明の詳細な説明】
【０００１】
【発明の属する技術分野】
本発明は、患者側端部でマスク領域を有するエアウエイ管を具え、この管がマスク領域の中心に開口し、このマスク領域が管の患者側端部に固着された配置構成部材とこの配置構成部材に固着された膨張可能なカフ構成部材を具え、カフ構成部材が咽頭の下側領域で患者の組織と共にシールを提供する為に通常は卵形である喉頭部マスクエアウエイ組立体に関するものである。
【０００２】
【従来の技術】
患者に対する通気麻酔剤及び通気ガスの投与をする為に喉頭部マスクとして知られているエアウエイを使用することが一般的に実施されている。これらエアウエイに、一端に膨張可能なマスク或いはカフを有する管を設け、この管が患者の口に挿入されると、その結果一端が下咽頭内に置かれ、マスクが回りの組織と共にこの領域内にシールを形成する。喉頭部のマスクは、例えば米国特許明細書第５３５５８７９号、米国特許明細書第５３０５７４３号、米国特許明細書第５２９７５４７号、米国特許明細書第５２８２４６４号、英国特許明細書第２２６７０３４号、米国特許明細書第５２４９５７１号、米国特許明細書第５２４１９５６号、米国特許明細書第５３０３６９７号、英国特許明細書第２２４９９５９号、英国特許明細書第２１１１３９４号、欧州特許明細書第４４８８７８号、米国特許明細書第４９９５３８８号、英国特許明細書第２２０５４９９号、英国特許明細書第２１２８５６１号、及び英国特許明細書第２２９８８７９７号に記載されている。
【０００３】
喉頭部マスクは、より長く且つボーカルフォールド（vocal folds)より下の気管と共にシールする気管内管より優れた幾つかの利点を有する。しかしながら、喉頭部マスクエアエウイに関する１つの問題は、このエアウエイが特に金をかけずに正確に導入することが困難であることである。
【０００４】
【発明が解決しようとする課題】
本発明の目的は、改良された喉頭部マスク組立体を提供することにある。
【０００５】
【課題を解決するための手段】
本発明によれば、配置構成部材にプレート構成部材を設け、マスク領域が組立体の挿入を助けるためにカフ構成部材を越えて突出するチップ構成部材を含み、チップ構成部材がプレート構成部材の一部により設けられたことを特徴とする上述した種類の喉頭部マスク組立体を提供する。
【０００６】
好適には、マスク領域に、管の患者側端部に固着された配置構成部材を設け、カフ構成部材が配置構成部材に固着され、チップ構成部材が配置構成部材の一部により設けられる。配置構成部材に、管に固着されたスリーブとこのスリーブに対してある角度を成して突出するプレート構成部材とを設け、このチップ構成部材がプレート構成部材の一部により設けられることが好適である。チップ構成部材はプレート構成部材のリーディング端部を湾曲させることにより設けることができる。組立体が配置構成部材の対向する側に固着される２個のカフ構成部材を含むことが好適である。
【０００７】
本発明による喉頭部のマスクエアウエイ組立体は、添付図面により、実施例によって記載される。
【０００８】
【発明の実施の形態】
本発明の組立体に、機械端部１２で連結体１０を有するＰＶＣのようなプラスティック材料の湾曲可能な管１を設ける。管１はその長さに亘って湾曲し、その患者側端部でマスク領域を有する。管１はその壁内に膨張ルーメン２を押出し成形している。このルーメンは、膨張インジケータ及びコネクタ４により膨張ライン３に組立体の機械側端部に向かって連結される。膨張ルーメン２の反対側の患者側端部はマスク領域１３へと開口する。
【０００９】
マスク領域１３には、配置構成部材１５と２個のカフ構成部材１６及び１７とを設ける。配置構成部材１５はＰＶＣのような湾曲可能なプラスティック材料からモールド成形される。この配置構成部材１５は、その後ろ側端部に中空円筒状のスリーブ１８を有し、このスリーブ内では管１の前方の患者側端部１４が挿入され継ぎ合わされる。配置構成部材の前方の患者側端部１９は、通常は楕円形か或いは卵形の形状を有するほぼ平坦なプレート２０を有し、この外形は約３０°の角度でスリーブ１８の外方に突出する。プレート２０の前方端部はリーディングチップ２１を形成するように上方に湾曲する。幾つかの空気通気開口２２はプレート２０の回りを占め、空気がプレートの厚さに亘り流れることを可能にする。
【００１０】
カフ構成部材１６及び１７は、ＰＶＣ、ポリウレタン、シリコーン、ＥＶＡ、ＴＰＥ、ポリエーテルブロックアミド等のような可撓性の弾性プラスティック材料から両者共にブロー形成される。カフ構成部材は、真空形成、圧力真空形成、或いは射出成形のような他の方法で形成することができる。或いは又、カフ構成部材は、平坦なシートとすることもでき、このシートはエラストマー特性を有するか或いは補強材とラミネイトされる。下側の患者側端部カフ構成部材１６は、プレート２０の外形に一致する周囲により半環形状を有する。環状の窪み或いはチャネル２３は周囲のリム２４内のカフの上側表面の回りに延在する。カフ構成部材１６の中心では、卵形の開口２５が存在し、この開口がスリーブ１８の患者側端部の開口の形状に一致する。カフ構成部材１６は、プレートの下側表面とチャネル２３との間の環状空間を包囲するように、リム２４の回りと開口２５の縁部の回りの両方でプレート２０の下側の患者側に接着される。上側のカフ構成部材１７は、チャネル３０の各側上に、周囲のリム２７とプレート２０の上側表面に接着された内側のリム２８とを有する。上側のチャネル３０は、配置構成部材のチャネルにより膨張ルーメン２と連通するか或いは管と相互に連結するのでその結果膨張ルーメンに供給されたガスは上側のカフ構成部材１７を膨張させるが、この理由はガスが通気開口２２を介して流れ、又下側のカフ構成部材１６を膨張させるからである。
【００１１】
リーディングチップ２１は、マスク領域１３を正確な位置に案内する為により硬いリーディング縁部を供給するように、上側及び下側のカフ構成部材１６及び１７を越えて僅かに前方に突出する。
【図面の簡単な説明】
【図１】組立体の側立面図である。
【図２】組立体の患者側端部の断面側立面図を寸法を拡大して示したものである。
【図３】組立体の患者側端部を上方から見たものである。
【符号の説明】
１  管
２  膨張ルーメン
３  膨張線
４  コネクタ
１０  連結体
１２  機械側端部
１３  マスク領域
１４  患者側端部
１５  配置構成部材
１６  カフ構成部材
１７  カフ構成部材
１８  スリーブ
１９  患者側端部
２０  プレート
２１  リーディングチップ
２２  空気通気開口
２３  環状の窪み或いはチャネル
２４  内側のリム
２５  開口
２７  周囲のリム
２８  内側のリム
３０  チャネル
【図１】
0003964531.tif 000002
【図２】
0003964531.tif 000003
【図３】
0003964531.tif 000004